(57)【特許請求の範囲】
【請求項１】
毛包内に挿入された脱毛針に印加される高周波出力及び直流電圧を制御手段により制御し脱毛処理する電気脱毛器において、
前記制御手段は、高周波出力を断続的に印加しその印加時間を脱毛処理時間の略７０％となるよう設定するとともに、直流電圧を高周波出力の第２回目の印加時以降に連続的に印加しその印加時間を脱毛処理時間の略８５％となるよう設定した
ことを特徴とする電気脱毛器。
【請求項２】
毛包内に挿入された脱毛針に印加される高周波出力及び直流電圧を制御手段により制御し脱毛処理する電気脱毛器において、
前記制御手段は、高周波出力を脱毛処理時間に亘って連続的に印加するとともに、直流電圧を断続的に印加しその印加時間を脱毛処理時間の略５５％となるよう設定した
ことを特徴とする電気脱毛器。
【発明の詳細な説明】
【０００１】
【産業上の利用分野】
本発明は、高周波出力及び直流電圧を重畳的に印加するいわゆるブレンド法により脱毛処理する電気脱毛器であり、特に脱毛処理時に発生する疼痛を軽減する電気脱毛器に関するものである。
【０００２】
【従来の技術】
このブレンド方式の電気脱毛器を用いて脱毛処理するときは、毛包内に脱毛針を挿入し、この脱毛針に高周波出力を印加して誘電加熱する一方、直流電圧を印加して毛包部分の水分を電解する。この誘電加熱により毛根部が熱破壊される一方、水分の電解により生成されたアルカリにより毛根部が腐食され、永久脱毛が行われる。
【０００３】
この脱毛処理にあたり、脱毛処理を行うオペレータは、被脱毛処理者の毛根、皮膚等の諸条件を勘案して高周波出力及び直流電圧の印加出力、或いは、印加時間等の処理条件を決定し、脱毛処理を行っている。
【０００４】
【発明が解決しようとする課題】
しかしながら、このような脱毛処理では、オペレータの勘や経験に頼らざるを得ず、そのオペレータの熟練度によっては、被脱毛処理者に過度の疼痛を与えたり、或いは、皮膚の過度の炎症により処理後の紅斑や痂皮の治癒が遅れるという問題点を有していた。
【０００５】
本発明の目的は前記従来の課題に鑑み、脱毛処理時の疼痛を軽減するとともに、脱毛処理後の紅斑や痂皮が短期間で治癒される電気脱毛器を提供することにある。
【０００６】
【課題を解決するための手段】
本発明は前記課題を解決するため、請求項１の発明は、毛包内に挿入された脱毛針に印加される高周波出力及び直流電圧を制御手段により制御し脱毛処理する電気脱毛器において、前記制御手段は、高周波出力を断続的に印加しその印加時間を脱毛処理時間の略７０％となるよう設定するとともに、直流電圧を高周波出力の第２回目の印加時以降に連続的に印加しその印加時間を脱毛処理時間の略８５％となるよう設定したことを特徴とする。
【０００７】
請求項２の発明は、毛包内に挿入された脱毛針に印加される高周波出力及び直流電圧を制御手段により制御し脱毛処理する電気脱毛器において、前記制御手段は、高周波出力を脱毛処理時間に亘って連続的に印加するとともに、直流電圧を断続的に印加しその印加時間を脱毛処理時間の略５５％となるよう設定したことを特徴とする。
【０００８】
【作用】
高周波出力の印加により毛包内が誘電加熱され、また、直流電圧の印加により毛包内の水分が電解されアルカリになる。このような熱破壊及びアルカリ腐食により毛根部の組織が破壊され、永久脱毛が行われる。
【０００９】
ここで、直流電圧印加による水分の電解は高周波出力印加に伴う熱により促進されるが、請求項１の発明によれば、高周波出力を断続的に印加しその印加時間を脱毛処理時間の略７０％に設定しているため、誘電加熱に伴う毛包温度の過度な上昇が抑制され、被処理者が感ずる疼痛が軽減される。
【００１０】
また、このように毛包温度の低下に伴い水分の電解作用が抑制されるおそれがあるが、請求項１の発明では、直流電圧印加を断続ではなく連続的に行うことにより、その電解作用の低下を最小限に押さえている。
【００１１】
更に、直流電圧の印加開始タイミングを高周波出力の第２回目の印加時以降に設定しているため、一旦高周波出力で毛包を加熱してから水分が電解され、電解作用が効率よく行われるし、また、脱毛処理初期時における痛覚の敏感な時期に誘電加熱及びアルカリ腐食に伴う疼痛を相乗的に作用させることがない。
【００１２】
次に、請求項２の発明の作用について説明する。一般に高周波出力を脱毛処理時間全体に亘って連続通電するときは、誘電加熱で毛包内温度が充分に上昇し、このため、直流電圧が印加するとき必要以上にその電解作用が行われるおそれがある。そこで、請求項２の発明では直流電圧を断続的に印加し、その印加時間を略５５％に設定することにより、過剰な電解作用を抑制し、強い疼痛の発生を防止している。
【００１３】
【実施例】
図１乃至図５の(a)(b)は本発明に係る電気脱毛器の一実施例を示すもので、図１は電気脱毛器の制御回路を示すブロック図である。
【００１４】
この電気脱毛器は起動スイッチ１をオンすることにより、マイクロコンピュータ等で構成されたＣＰＵ２から高周波出力及び直流電圧の制御信号が出力されるもので、この制御信号に基づき高周波発生器３及び直流発生器４から高周波出力或いは直流電圧が所定の印加時間及び印加タイミングで毛包に挿入された脱毛針５に印加される。
【００１５】
このＣＰＵ２の制御信号に基づく各発生器３，４の印加時間及び印加タイミングを図２のタイムチャートを参照して説明する。この図２には３種類のパターンが示されており、パターン(1)は脱毛処理開始から終了まで（２０秒間）高周波出力及び直流電圧を連続して印加する場合を示している。
【００１６】
パターン(2)は、高周波出力を２秒印加，１秒停止を繰り返し行い、また、直流電圧を開始から３秒後に連続的に１７秒印加している。これにより、高周波出力の断続印加時間が脱毛処理時間の７０％に設定され、直流電圧の連続印加時間が脱毛処理時間の８５％に設定されている。
【００１７】
パターン(3)は、高周波出力を脱毛処理開始から終了まで連続して印加し、他方、直流電圧を脱毛処理開始時から１秒後に３秒印加しその後２秒停止し、更にその後２秒印加，２秒停止を繰り返している。即ち、これにより、高周波出力の連続印加時間を脱毛処理時間の１００％に設定し、直流電圧の断続印加時間を脱毛処理時間の５５％に設定している。
【００１８】
このような電圧制御設定で、腋部の疼痛試験を次のような条件で行った。
【００１９】
(1)前処理
高周波出力のみの連続印加と直流電圧のみの連続印加を所定人数の被脱毛処理者に施し、被脱毛処理者を高周波（熱）に痛みを感じる人（以下タイプＡ）、直流電圧（電解作用によるアルカリ腐食）に痛みを感じる人（以下タイプＢ）、或いは、どちらにも同じ位い痛みを感じる人（以下タイプＣ）に予め類別した。
【００２０】
(2)脱毛部位
脱毛部位は腋部とした。
【００２１】
(3)疼痛スコア
被脱毛処理者は次の１０段階で疼痛評価（スコア）を行う。１；痛みを感じない、２；痛みを感じる程度、３；我慢できる痛み、４；なんとか我慢できる痛み、５；１〜２本なら我慢できる痛み、６；辛い痛み、７；強い痛み、８；非常に強い痛み、９；我慢できない非常に強い痛み、１０；絶対に我慢できない非常に強い痛み。
【００２２】
このような条件で各パターン(1)(2)(3)を施した試験の結果を図３に示した。この図３で疼痛値とは各被脱毛処理者が感じたスコア（１〜１０）の平均値を表し、軽減度とはパターン(1)における疼痛値からパターン(2)或いはパターン(3)の疼痛値を減算したものである。
【００２３】
そこで、各パターン(1)(2)(3)の疼痛試験結果を検討するに、タイプＡの被処理者にパターン(2)で電圧を印加したとき軽減度が−０．８となっており、このパターン(2)がタイプＡの被脱毛処理者に有効であるという結果が出た。
【００２４】
これは、高周波出力を断続的に印加しその印加時間を脱毛処理時間の略７０％となっているため、誘電加熱に伴う毛包温度の過度な上昇が抑制され、タイプＡの被処理者が感ずる疼痛が軽減されたこと、また、直流電圧の印加開始タイミングを高周波出力の第２回目の印加時以降に設定しているため、脱毛処理初期時における痛覚の敏感な時期に誘電加熱及びアルカリ腐食に伴う疼痛を相乗的に作用させないことによるものと理解できる。
【００２５】
また、パターン(2)のように高周波出力の印加時間を短くするときは毛包温度が低下し、水分の電解作用が抑制されるおそれがあるが、直流電圧印加を断続ではなく連続的に行うことにより、その電解作用の低下を最小限に押さえている。
【００２６】
更に、直流電圧の印加開始タイミングを高周波出力の第２回目の印加時以降に設定しているため、一旦高周波出力で毛包を加熱してから水分が電解され、電解作用が効率よく行われる。
【００２７】
他方、タイプＢの被処理者においては、パターン(3)で軽減度が−１．８となっており、パターン(3)がタイプＢの被脱毛処理者に有効であるという結果がでた。
【００２８】
これは、一般に高周波出力を脱毛処理時間全体に亘って連続通電するときは、誘電加熱で毛包内温度が上昇し、このため、直流電圧が印加するとき必要以上にその電解作用が行われるおそれがあるが、このパターン(3)では直流電圧を断続的に印加し、その印加時間を略５５％に設定することにより、過剰な電解作用を抑制し、強い疼痛の発生が防止されたことによるものと理解できる。
【００２９】
図４の(a)(b)は紅斑に関する評価を示すものである。即ち、各パターン(1)(2)(3)を腋部及び脚部に施し、この脱毛処理直後、３日後及び１週間後について、目視にて次の５段階評価、０；赤味がない、１；赤味がある、２；赤味がやや強い、３；赤味が強い、４；赤味が非常に強い、というように紅斑スコアを評価し、その平均値を示している。
【００３０】
図４の(a)(b)の数値から明らかなように、パターン(2)(3)がパターン(1)より有効であるという結果が出ている。これは、パターン(2)(3)がパターン(1)よりも皮膚に対する炎症の程度が低いことによるものと理解できる。
【００３１】
図５の(a)(b)は痂皮に関する評価を示すものである。即ち、各パターン(1)(2)(3)を腋部及び脚部に施し、この脱毛処理直後、３日後及び１週間後について、目視にて次の５段階評価、０；０％、１；１０％未満、２；１０〜３０％未満、３；３０〜５０％未満、４；５０％以上、というように痂皮スコアを評価し、その平均値を示している。
【００３２】
図５の(a)(b)の数値から明らかなように、前記紅斑評価と同様の理由でパターン(2)(3)がパターン(1)よりも有効となっている。
【００３３】
従って、本実施例に係る電気脱毛器において、パターン(2)(3)のようにＣＰＵが制御するとき、疼痛の軽減、紅斑及び痂皮の治癒に非常に有効となっている。
【００３４】
【発明の効果】
以上説明したように、請求項１の発明によれば、高周波出力を断続的に印加しその印加時間を脱毛処理時間の略７０％となっているため、誘電加熱に伴う毛包温度の過度な上昇が抑制され、特に、高周波加熱に痛み感じる被処理者の疼痛が軽減され、また、直流電圧の印加開始タイミングを高周波出力の第２回目の印加時以降に設定しているため、脱毛処理初期時における痛覚の敏感な時期に誘電加熱及びアルカリ腐食に伴う疼痛を相乗的に作用させることがないし、更には脱毛処理後の紅斑及び痂皮も短期間で治癒される。
【００３５】
また、高周波出力の印加時間を短くするときは毛包温度が低下し、水分の電解作用が抑制されるおそれがあるが、直流電圧印加を断続ではなく連続的に行うことにより、その電解作用の低下を最小限に押さえられる。
【００３６】
更に、直流電圧の印加開始タイミングを高周波出力の第２回目の印加時以降に設定しているため、一旦高周波出力で毛包を加熱してから水分が電解され、電解作用が効率よく行われる。
【００３７】
請求項２の発明によれば、直流電圧を断続的に印加し、その印加時間を略５５％に設定することにより、過剰な電解作用を抑制し、強い疼痛の発生が防止され、特に直流電圧に対して痛みを感じる被処理者に非常に有効なものとなっている。
【図面の簡単な説明】
【図１】本発明に係る電気脱毛器の制御回路を示すブロック図
【図２】ＣＰＵの制御タイムチャート
【図３】疼痛に関する評価を示す図
【図４】紅斑に関する評価を示す図
【図５】痂皮に関する評価を示す図
【符号の説明】
１…起動スイッチ、２…ＣＰＵ、３…高周波発生器、４…直流発生器、５…脱毛針。
【図１】
0003644698.tif 000002
【図２】
0003644698.tif 000003
【図３】
0003644698.tif 000004
【図４】
0003644698.tif 000005
【図５】
0003644698.tif 000006